(57)【要約】【課題】    水道設備工事終了時に配管工事により生じた上流側配管内の土砂等の異物を通水試験の際に装着されるストレーナー機能を有する補足管により除去し洗管作業の効率化を図るものである。【解決手段】    本案発明は水道配管に接続される通水パイプであってその、両端にストレーナー機能を有し、通水配管の上流側に混入するごみ等を除去する。そして、そのストレーナーは上流側には大きい目の網目のストレーナーで大きなごみ等を遮断し、下流側には小さい目の網目のストレーナーで小さなごみ等を遮断し、ストレーナーのごみの目詰まりによる通水不能を回避する。【選択図】図１
2009121222.tif 000002
【特許請求の範囲】
【請求項１】
水道配管における通水パイプであって、そのパイプの両端に上流側継手ソケットには大きい目の網目のストレーナーを備え、下流側継手ソケットには小さい目の網目のストレーナーを備え、上流側に混入するごみ等の除去することを可能とする給水又は排水用ソケット。
【請求項２】
通水管の途中に設置される継手であって、両端が当該通水管に施されたユニオンソケットと嵌合可能なホースニップル機構の継手ソケットであって、上流側継手ソケットには大きい目の網目のストレーナーを備え、下流側継手ソケットには小さい目の網目のストレーナーを備え、上流側及び下流側継手ソケットの間に通水可能となるホースを有し、そのホースの外周には変形防止のためのスプリングを備え、上水側に混入するごみ等の除去することを可能とする、水道配管に施されたユニオンナットと着脱が容易で嵌合可能な外ねじ部を有する請求項１に記載の給水又は排水用ソケット。
【請求項３】
筒状のストレーナーの円筒部に鉛直方向に挿入可能となる溝を有しその溝にストレーナーを挿入し、かしめることにより抜け止めを可能とするストレーナー固定座金。
【請求項４】
ストレーナーの台座部に請求項３のストレーナー固定座金を有する請求項１の給水または排水用ソケット。
【請求項５】
ストレーナーの台座部に請求項３のストレーナー固定座金を有する請求項２の給水または排水用ソケット。
【発明の詳細な説明】
【技術分野】
【０００１】本発明は水道設備工事終了時の竣工前に新設の量水器や減圧弁の代わりに装着される補足管に関する。
【背景技術】
【０００２】  住宅建設の上水道配管において、栓類（量水器や減圧弁等）などが取り付けられるが、水道メーター取り付け前に上水道本管から各家内の水道配管については、漏水等の不具合の有無の点検のため、当該栓類の代わりに補足管が装着され通水試験が施される。【０００３】  量水器や減圧弁はその両端にユニオンソケット式の外ねじ部を有し、水道配管のユニオンナットと嵌合する。補足管は当該栓類と同径の水道配管と嵌合可能な外ねじ部を有し水道配管に装着することにより通水が可能となる。【０００４】  近年、一定期間経過後の水道メーター取替えにおいては、水道メーターの配管用の取り付け面が上流側と下流側とで平行であるため、その面間を挟み込むようにシートパッキンを伸縮スライドさせることにより、密着させ配管内の機密性を図るという水道メーターユニットが開発されている。これにより、水道メーターの取替えの簡便化が図られているのである。【０００５】  そして通常は、上水道本管からの配管は埋設されており、配管工事の際に土砂などが当該配管に混入する場合があり、通水試験の際にこれ等の異物が屋内の水道配管に侵入し、屋内の給水栓の損傷につながる場合が少なくない。
屋内の水道配管へのこれ等の異物の侵入を防ぐには、当該配管に通水によって洗い流すという作業（以下これを「洗管」という。）が必要となる。【０００６】  しかし、先管による排水はある程度の量が必要であり、垂れ流すのは妥当ではなく、排水口等の下水管に誘導するには多大な設備や労力を要するという問題を有することとなる。
【発明の開示】
【発明が解決しようとする課題】
【０００７】  本発明は、屋内水道配管への通水試験による土砂等の異物の混入を阻止し、洗管による排水を配水口等に誘導することにある。【０００８】  金網により水をこして洗浄するストレーナーは補足管にその機能を備えることでかかる課題を解決しうる。しかし、その網目の大きさにより以下の問題を生じる。
すなわち、網目が大きい場合は小さな異物はストレーナーを通り過ぎてしまい、網目が小さい場合はすぐに目詰まりを起こし通水不能に陥ることになる。【０００９】  本発明は、ストレーナーによる土砂等の異物の混入を阻止し、通水不能となる目詰まりを回避し、先管と同時に通水試験の実施を可能とするものである。【００１０】  上述の水道メーターユニットの場合、補足管の取り付け作業は簡易であるが、栓類（量水器や減圧弁等）の取り付けがユニオンソケット式である場合には作業スペースが限定され、補足管の取り付け作業に困難をきたすことも予想される。これは埋設配管である場合に顕著である。【００１１】  ストレーナーは配管途中に固定するための座金に密着する必要がある。従来技術ではストレーナーの網目の円筒部を直角に折り曲げ、座金と平行にした上で密着する方法が採用されているが、直角に折り曲げることにより、網目の折り曲げ部の強度が弱くなり経時的に破断するおそれがある。また、小口径のストレーナーは網目の線形が太い場合、折り曲げ加工が困難となる。
【課題を解決するための手段】
【００１２】  本発明は通水パイプ内に、その両端の上流側に大きなメッシュ、下流側に小さなメッシュとなるように分類したストレーナーを備えるものである。【００１３】  上述の水道メーターユニットにおいては、水道メーターの取り付け面間と同じ全長の通水パイプであって、伸縮スライド可能なシートパッキンと密着可能な取り付け面を備え、通水パイプの内部にそれらストレーナーを備えることで当該課題の解決を図りうるのである。【００１４】  栓類（量水器や減圧弁等）の取り付けがユニオンソケット式であって、ねじ込みナットにより締め付ける方式である場合には、補足管には、両端に当該栓類と同径の水道配管に嵌合可能な外ねじ部を有する必要がある。これは上述のストレーナーを備えた通水パイプの両端に外ねじ部を施すことで装着可能となり洗管作業を完了し得る。【００１５】  本発明の補足管は、伸縮及び屈曲可能なゴムホースの両端にホースニップルを取り付けたものであり、そのホースニップルに水道配管と嵌合可能な外ねじ部を備える。そして、ホースにはゴムホースの変形防止のためホースの外側にスプリングを装着し、ホースニップルからホースが抜けないようにホース押さえを装着する。【００１６】  ストレーナーと座金との装着については座金の垂直方向に、ストレーナーの円筒部と同径の円状の溝を施し、これにストレーナーの円筒部を挿入し、かかる溝を加圧により圧縮することにより、座金とストレーナーとを密着固定する。【００１７】  当該溝部のストレーナー設置面は低い面粗度、すなわち摩擦係数が大きい方が高い抜け止め強度を達成することになる。座金の溝の開口部に鍵状の折り返しを施す方法若しくは溝面の内径部に内ねじまたは溝面の外形部に外ねじを施す方法若しくはこれ等の組み合わせることにより達成することができる。
【発明の効果】
【００１８】  本案発明の補足管を装着して通水試験を行うことにより、同時に上水道本管からの配管内に混入した土砂等の異物をストレーナーにより下流側への侵入を防ぐことができる。このため、通水試験前に上水道本管からの配管に混入した土砂等の異物を取り除くための洗管作業による排水の垂れ流し等が回避され、大幅な労力の削減が可能となる。【００１９】  網目の大きなストレーナーと網目の小さなストレーナーとを分類することで網目の目詰まりを最小限にすることができ、ストレーナーの網目の目詰まりによる通水不能を最小限とすることができるのである。【００２０】  本案発明の補足管は通水試験等の水道設備工事後であって竣工前の洗管作業時にのみ装着されるものであって、竣工後は取り外されるため再使用が可能であり経済性に優れるものである。【００２１】  当該栓類の全長寸法は一般に規格化されており、補足管の全長寸法は両端のホースニップルに連結するゴムホースの全長によって指定できる。そして、ゴムホースであるから一定の伸縮性能と屈曲性能を有し、その着脱が容易である。【００２２】  さらに、ゴムホースは交換可能であり、ゴムホースの全長を調整することによって、排水口や排水受けのバケツ等まで延長すれば排水を当該栓類取り付け位置付近に垂れ流すことなく洗管作業を遂行することもできる。【００２３】  本発明による機能は、上水用の補足管への利用のみならず、着脱が容易であるため、排水管の途中にも設置することが可能である。従来のストレーナーは単式のストレーナー機構であり、網目が大きい場合は小さな異物はストレーナーを通り過ぎてしまい、網目が小さい場合はすぐに目詰まりを起こし通水不能に陥ることになるが、本発明の実施によりかかる弊害を緩和しうることになる。【００２４】  ストレーナーの配管途中での固定については本案発明のストレーナー取り付け台座にストレーナーの網目を折り曲げることなく、装着できるため網目の折り曲げによるストレーナーの劣化、及び小口径のストレーナーに太い線形の網目を採用した場合であっても網目の折り曲げ加工を施すことがないため、容易な加工や装着が可能となるのである。
【発明を実施するための最良の形態】
【００２５】  以下、本発明の実施の形態を図１乃至図７に基づいて説明する。【００２６】  図１において、５は通水パイプであり、１はストレーナー装着具でありストレーナー装着具１と通水パイプの間のＯリング３により機密性を保持する。【００２７】  通水パイプの上流側７には＃１４の網目のストレーナー４とパッキン２を備え、このストレーナー４で大きい目の石やごみを除去する。
下流側８には＃３０の網目のストレーナー６とパッキン２を備え、このストレーナー６で小さな石やごみを除去する。【００２８】  図２において、継手ソケットは、上流側７及び下流側８にはホースニップル１３の構造を有し、１１はホースであり、ホースニップル１３からホースの抜け止めにホース押え１０を装着し、継手ソケット９には水道配管に施されたユニオンナットに嵌合可能な外ねじ１４を有する。そして、ホース１１の外周にはホースの変形防止のためにスプリング１２が螺旋状に巻かれている。【００２９】  上流側８の継手ソケット９には＃１４の網目のストレーナー４とパッキン２を備え、このストレーナー４で大きい目の石やごみを除去する。
下流側９の継手ソケット９には＃３０の網目のストレーナー６とパッキン２を備え、このストレーナー６で小さな石やごみを除去する。【００３０】  図５においては本案発明に使用するストレーナーの正面図で、ストレーナーの網目を座金の溝に装着及び固定された状態を示したものであり、ストレーナーの網目を座金の溝に挿入後内径の１５部又は外形の１６部を加圧し、所定の抜け止め強度を達成することになる。【００３１】  図６は座金の溝の開口部を折り返ししたものを示し、図７は座金の溝の内径部には内ねじを、外形部には外ねじを施し、網目の座金からの抜け止め強度の拡大を達成することが可能となる。【００３２】  図７の溝面に内外ねじを施す方策としては、円筒状のタップとダイスを兼ね備えた加工工具を座金のみぞ部にねじ込むこと等により達成できるが、図８に示すとおり、座金のねじ部を二つの部品に分割し組み合わせる方法は容易な加工で網目の座金からの抜け止め強度の増大を達成することができるのである。
【図面の簡単な説明】
【００３３】
【図１】  水道メーターユニットに装着可能な本発明の実施形態を示す、一部破砕の断面図である。
【図２】  栓類（量水器や減圧弁等）取替え可能なユニオンナット式の水道配管に装着可能な本発明の実施形態を示す、一部破砕の断面図である。
【図３】  図２における実施形態の右側面図である。
【図４】  図２におけるホースニップル構造を有する継手ソケットの一部破砕の断面図である。
【図５】  ストレーナーの一部破砕の正面図である。
【図６】  ストレーナーの装着溝の開口部に折り返しを有する座金の一部破砕の正面図である。
【図７】  ストレーナーの装着溝にねじ部を二つに分割し、抜け止め用のねじ部を備えた座金の一部破砕の正面図である。
【符号の説明】
【００３４】  １      ストレーナー装着具
２      パッキン
３      Ｏリング
４      網目が＃１４のストレーナー
５      通水パイプ
６      網目が＃３０のストレーナー
７      上水道上流側進入部
８      上水道下流側排出部
９      継手ソケット
１０      ホース押さえ
１１      ホース
１２      スプリング
１５      ストレーナー取り付け座金
１６      ストレーナーの網目
１７      座金の溝の内径加圧部
１８      座金の溝の外形加圧部
１９      座金の溝の開口部の折り返し部
２０      座金の溝の内径ねじ
２１      座金の溝の外形ねじ
【図１】
2009121222.tif 000003
【図２】
2009121222.tif 000004
【図３】
2009121222.tif 000005
【図４】
2009121222.tif 000006
【図５】
2009121222.tif 000007
【図６】
2009121222.tif 000008
【図７】
2009121222.tif 000009